(57)【要約】【課題】  排水用部材の取付作業が容易であり、漏水の心配もなくなる分割式洗い場付き浴槽における排水用部材の接続方法を提供する。【解決手段】  床パン２と浴槽３が分割された分割式洗い場付き浴槽を施工するに際し、排水エルボ５まで配管６で接続したトラップ４を床パン２の洗い場排水口２ｂに予め固設した後、この床パン２を所定位置に設置し、その後、床パン２に接続させて浴槽３を設置し、この浴槽３の排水口３ａに対し排水口フランジを上方より浴槽排水接続具（排水エルボ）５に接続して取り付ける。【選択図】        図１
2005171483.tif 000002
【特許請求の範囲】
【請求項１】
床パンと浴槽が分割された分割式洗い場付き浴槽を施工するに際し、浴槽排水接続具まで配管で接続したトラップを前記床パンの洗い場排水口に予め固設した後、該床パンを所定位置に設置し、その後、該床パンに接続させて前記浴槽を設置し、該浴槽の排水口に対し排水口フランジを前記浴槽排水接続具に接続して取り付けることを特徴とする分割式洗い場付き浴槽における排水用部材の接続方法。
【請求項２】
前記浴槽排水接続具には、前記浴槽の排水口に仮固定できるパッキンが一体に設けられていることを特徴とする請求項１に記載の分割式洗い場付き浴槽における排水用部材の接続方法。
【請求項３】
前記浴槽の排水口には、予めパッキンを嵌め込んでおくことを特徴とする請求項１に記載の分割式洗い場付き浴槽における排水用部材の接続方法。
【発明の詳細な説明】
【技術分野】
【０００１】
この発明は、床パンと浴槽が分割された分割式洗い場付き浴槽における排水用部材の接続方法に関するものである。
【背景技術】
【０００２】
従来、ユニットバスの床部材の施工方法としては、例えば特許文献１に開示されているような施工方法がある。
なお、床パンと浴槽が分割された分割式洗い場付き浴槽においては、洗い場を形成する床パンの排水口にトラップを取り付け、一方の浴槽の排水口には排水エルボを取り付けておき、床パンと浴槽を所定位置に設置した後で、トラップと排水エルボを結ぶ配管を接続して施工していた。
即ち、図１０に示すように、床パン側にトラップ４を取り付け、浴槽側に排水エルボ５をそれぞれ取り付けておき、後に点検口から手を入れて、配管５１，５２とフレキホース６を接続して連結していた。
【特許文献１】特開平９−１１１８３２号公報
【発明の開示】
【発明が解決しようとする課題】
【０００３】
従来では、床パンと浴槽を設置した後に、トラップと排水エルボを結ぶ配管５１，５２，６を接着等で接続するものであるため、接着不良による漏水に十分注意して施工する必要があり、また、点検口からの接続作業を容易にするために、配管５１，５２，６を必要以上に迂回させる必要があり、配管５１，５２，６が長くなって、コスト高となってしまうという問題点があった。
【課題を解決するための手段】
【０００４】
本発明は上記従来の問題点に鑑み案出したものであって、排水用部材の施工が容易となる分割式洗い場付き浴槽における排水用部材の接続方法を提供せんとするものであり、請求項１は、床パンと浴槽が分割された分割式洗い場付き浴槽を施工するに際し、浴槽排水接続具まで配管で接続したトラップを前記床パンの洗い場排水口に予め固設した後、該床パンを所定位置に設置し、その後、該床パンに接続させて前記浴槽を設置し、該浴槽の排水口に対し排水口フランジを前記浴槽排水接続具に接続して取り付けることである。
また、請求項２は、前記浴槽排水接続具には、前記浴槽の排水口に仮固定できるパッキンが一体に設けられていることである。
また、請求項３は、前記浴槽の排水口には、予めパッキンを嵌め込んでおくことである。
【発明の効果】
【０００５】
本発明では、浴槽排水接続具まで配管で接続したトラップを、床パンの洗い場排水口に予め固設した後、床パンを所定位置に設置し、その後、床パンに接続させて浴槽を設置し、浴槽の排水口に対し排水口フランジを浴槽排水接続具に接続して取り付けることとしたため、従来のように床パンと浴槽を設置した後にトラップと浴槽排水接続具を接続する作業が不要となり、施工が極めて容易なものとなる。
また、予めトラップと浴槽排水接続具は配管で接続した状態で取り付けられるため、接着不良等による漏水の心配がなくなるものとなる。
また、トラップと浴槽排水接続具を接続する配管を短くすることができて、コストダウン化を図ることができるものとなる。
【０００６】
また、浴槽排水接続具には、浴槽の排水口に仮固定できるパッキンが一体に設けられていることにより、施工の際にパッキンが落ちて紛失する心配がなく、施工の際にパッキンを摘み上げて、浴槽の排水口にパッキンを仮固定して施工することができ、施工性が向上するものとなる。
【０００７】
また、浴槽の排水口には、予めパッキンを嵌め込んでおくことにより、施工の際にパッキンが落ちて紛失する心配がなく、浴槽の排水口の上方より排水フランジをパッキン内に差し込んで、排水口の下方の浴槽排水接続具に良好に接続することができ、施工性が向上するものとなる。
【実施例】
【０００８】
以下、本発明の実施例を図面に基づいて説明する。
図１は、床パン２と浴槽３が分割された分割式洗い場付き浴槽の施工状態を示す側面概略構成図である。
床パン２の上面には洗い場２ａが形成されており、床パン２の浴槽３側には凹み状に洗い場排水口２ｂが形成されている。
また、浴槽３の底面には浴槽排水口３ａが形成されている。
【０００９】
このような分割式洗い場付き浴槽１を所定位置に施工するに際し、床パン２を裏返しにして、この床パン２ａの洗い場排水口２ｂにトラップ４を取り付ける。
なお、トラップ４には予めフレキホース６を介在させて浴槽排水接続具（排水エルボ）５が接続されている。
即ち、図２に示すように、トラップ４にフレキホース６を接続し、フレキホース６の他端を、浴槽排水接続具（排水エルボ）５側から一体に形成されている配管５ａに接続して、予め短い配管構成でトラップ４には浴槽排水接続具（排水エルボ）５までが接続されており、このように予め浴槽排水接続具（排水エルボ）５まで配管で接続したトラップ４を床パン２の洗い場排水口２ｂに取り付けるのである。
【００１０】
このようにトラップ４を取り付けた後、床パン２を表返しにして現場の所定位置に設置し、その後、設置した床パン２に対し浴槽３を図１のように接続して、浴槽３を所定位置に設置する。
その後に、浴槽３内に作業者が入り、浴槽排水口３ａの上方より、浴槽排水口３ａ内に排水口フランジ１０を差し込んで、排水口フランジ１０を浴槽排水接続具（排水エルボ）５に締め付け、浴槽排水口３ａに浴槽排水接続具（排水エルボ）５を固定できるものである。
【００１１】
なお、排水口フランジ１０を浴槽排水接続具（排水エルボ）５に締め付ける際に、例えば図５に分解図で示すように、浴槽の排水口３ａの上面側には、鍔下パッキン１２とスリップワッシャー９を配置させて、排水口フランジ１０を差し込み、排水口３ａの下面側には三角パッキン１１を配置させて、浴槽排水接続具（排水エルボ）５に対し上方より排水口フランジ１０をねじ込んで固定できるものである。
この場合、浴槽の排水口３ａの上面から全て接続作業を行うことができるが、さらに図３に示すような構成としておけば、より作業が容易なものとなる。
【００１２】
即ち、図３では、予め浴槽排水接続具（排水エルボ）５の上端にＵパッキン８を接着等で一体化させておくのである。
このような構成としておけば、予め浴槽排水接続具（排水エルボ）５の上端にＵパッキン８が一体化されているため、浴槽排水口３ａから手を入れてＵパッキン８を上方へ摘み上げて、このＵパッキン８を浴槽排水口３ａに嵌め込むことで、浴槽排水接続具（排水エルボ）５を浴槽排水口３ａに仮固定しておくことができるものとなり、この状態で、上方よりスリップワッシャー９を介在させて排水口フランジ１０を浴槽排水接続具（排水エルボ）５にねじ込んでゆくことができ、施工が極めて容易なものとなり、三角パッキン１１は使用しないために、三角パッキン１１が落下して紛失してしまう心配もなくなるものである。
【００１３】
また、さらには、図４に示すように、予め浴槽排水口３ａにパッキン８を嵌め込んでおくことができ、この図４のパッキン８は、浴槽排水口３ａに嵌め込んだ状態で、浴槽排水口３ａの上面に弾着する三角断面部８ａが上部に、浴槽排水口３ａの底面に当接する下鍔部８ｂが下部に形成されたものである。
このような形状のパッキン８を予め浴槽排水口３ａに嵌め込んでおき、上方よりスリップワッシャー９を介在させて排水口フランジ１０を浴槽排水接続具（排水エルボ）５にねじ込み、浴槽排水接続具（排水エルボ）５と排水口フランジ１０を浴槽排水口３ａに強固に固定できるものとなる。
図４の施工方法においても、三角パッキン１１が落下して紛失する虞れがなく、施工が容易なものとなる。
【００１４】
なお、図１，図３に示すように、前記浴槽排水接続具（排水エルボ）５に上方へ延びるレリース用ホース７を設けておけば、このレリース用ホース７内に、プッシュ排水栓のレリースを配設することができ、例えば浴槽３の上端に排水栓を開閉するボタンＢを設けておき、このボタンＢを操作することで、浴槽排水口３ａの排水栓を開閉できるものとなり、プッシュ排水栓の取り付けが可能なものとなる。
【００１５】
なお、図６，図７，図８，図９において、分割式洗い場付き浴槽１の施工手順を図示する。
図６は、床パン２を裏返しにして、この床パン２の洗い場排水口２ｂに、予め浴槽排水接続具（排水エルボ）５まで配管で接続したトラップ４を取り付ける施工状態図である。
なお、図中２ｃは、床パン２の裏側の補強フレームであり、図中２ｄは、補強フレーム２ｃから垂設された高さ調整ボルトである。
【００１６】
図７は、トラップ４を取り付けた後、床パン２を表返しにして現場の所定位置に設置した施工状態図である。
図８は、設置した床パン２に対し浴槽３を接続して、浴槽３を所定位置に設置する施工状態図である。
【００１７】
図９は、その後に、浴槽３内に作業者が入り、浴槽排水口３ａにパッキン８を嵌め込み、浴槽排水口３ａの上方より、スリップワッシャー９を介在させて浴槽排水口３ａ内に排水口フランジ１０を差し込んで、排水口フランジ１０を浴槽排水接続具（排水エルボ）５に締め付け、浴槽排水口３ａに浴槽排水接続具（排水エルボ）５を固定する施工状態の分解拡大構成図である。
【図面の簡単な説明】
【００１８】
【図１】分割式洗い場付き浴槽の設置状態の側面概略構成図である。
【図２】浴槽排水接続具を配管で予め接続したトラップの平面構成図である。
【図３】浴槽排水接続具の上端にパッキンを一体化させた場合の施工状態の要部拡大構成図である。
【図４】浴槽の排水口に予めパッキンを嵌め込んでおく施工状態の分解拡大構成図である。
【図５】浴槽排水接続具と排水口フランジを接続する際に用いられる部材の分解斜視図である。
【図６】床パンを裏返しにして、床パンの洗い場排水口にトラップを取り付ける施工状態図である。
【図７】トラップを取り付けた後、床パンを表返しにして現場の所定位置に設置した施工状態図である。
【図８】設置した床パンに対し浴槽を接続して、浴槽を所定位置に設置する施工状態図である。
【図９】浴槽排水口内に排水口フランジを差し込んで、排水口フランジを浴槽排水接続具（排水エルボ）に締め付け、浴槽排水口に浴槽排水接続具（排水エルボ）を固定する施工状態の分解拡大構成図である。
【図１０】従来のトラップと浴槽排水接続具の接続状態を示す平面構成図である。
【符号の説明】
【００１９】
１    分割式洗い場付き浴槽
２    床パン
２ａ    洗い場
２ｂ    洗い場排水口
３    浴槽
３ａ    浴槽排水口
４    トラップ
５    浴槽排水接続具（排水エルボ）
５ａ    配管
６    フレキホース
７    レリース用ホース
８    パッキン
８ａ    三角断面部
８ｂ    下鍔部
９    スリップワッシャー
１０    排水口フランジ
【図１】
2005171483.tif 000003
【図２】
2005171483.tif 000004
【図３】
2005171483.tif 000005
【図４】
2005171483.tif 000006
【図５】
2005171483.tif 000007
【図６】
2005171483.tif 000008
【図７】
2005171483.tif 000009
【図８】
2005171483.tif 000010
【図９】
2005171483.tif 000011
【図１０】
2005171483.tif 000012